【事件の表示】
　平成１０年特許願第　８９０３７号「ディスク装置」拒絶査定不服審判事件〔平成１１年１０月１９日出願公開、特開平１１−２８８５４２〕について、次のとおり審決する。
【結　論】
　本件審判の請求は、成り立たない。
【理　由】
第１　手続の経緯
　本願は、平成１０年４月１日の出願であって、平成１６年１１月２日付け拒絶理由通知に対して平成１７年１月５日付けで手続補正がされたが、同年１月２６日付けで拒絶査定がされ、これに対して同年３月３日に拒絶査定不服審判が請求されるとともに、同年３月２４日付けで手続補正がされたものである。
　
　
第２　平成１７年３月２４日付手続補正について補正却下の決定
　
　［補正却下の決定の結論］
　　平成１７年３月２４日付の手続補正を却下する。
　
　［理由］
１．本件補正
　平成１７年３月２４日付の手続補正（以下、「本件補正」という。）は、明細書についてするもので、特許請求の範囲については、補正前に、
（ａ）「【請求項１】
　ディスクを収容すると共に、ディスクの挿入または抜取り位置と収納位置との間を移動できるように構成されたストッカと、このストッカが新規ディスク挿入位置に移動してから所定時間を経過したとき、このストッカを収容位置に移動させるディスクおよびストッカ収納手段と、ディスク挿入口を開閉するシャッタと、このシャッタを開閉させるシャッタ駆動部とを備え、　
　上記シャッタ駆動部は、上記ストッカが上記新規ディスク挿入位置にあるときは上記シャッタを開き、上記ストッカが上記新規ディスク挿入位置に移動してから所定時間を経過したときは上記シャッタを閉じるように構成したことを特徴とするディスク装置。
　【請求項２】
　ディスクを収容すると共に、ディスクの挿入または抜取り位置と収納位置との間を移動できるように構成されたストッカと、このストッカがディスク抜取り位置に移動してから所定時間を経過したとき、抜取り可能なディスクを上記ストッカに収容し、ディスクを収容した上記ストッカを収容位置に移動させるディスクおよびストッカ収納手段と、ディスク挿入口を開閉するシャッタと、このシャッタを開閉させるシャッタ駆動部とを備え、　
　上記シャッタ駆動部は、上記ストッカが上記ディスク抜取り位置にあるときは上記シャッタを開き、上記ストッカが上記ディスク抜取り位置に移動してから所定時間を経過したときは上記シャッタを閉じるように構成したことを特徴とするディスク装置。
　【請求項３】
　ディスクを収容すると共に、ディスクの挿入または抜取り位置と収納位置との間を移動できるように構成されたストッカと、このストッカが新規ディスク挿入位置に移動してから第１の所定時間を経過したとき、このストッカを収容位置に移動させ、ディスクを収容したストッカがディスク抜取り位置に移動してから上記第１の所定時間より短い第２の所定時間を経過したとき、抜取り可能なディスクを上記ストッカに収容してこのストッカを収容位置に移動させるディスクおよびストッカ収納手段と、ディスク挿入口を開閉するシャッタと、このシャッタを開閉させるシャッタ駆動部とを備え、　
　上記シャッタ駆動部は、上記ストッカが上記新規ディスク挿入位置または上記ディスク抜取り位置にあるときは上記シャッタを開き、上記ストッカが上記新規ディスク挿入位置に移動してから上記第１の所定時間を経過したとき、または上記ディスク抜取り位置に移動してから上記第１の所定時間より短い上記第２の所定時間を経過したときは上記シャッタ閉じるように構成されたことを特徴とするディスク装置。
【請求項４】
　上記ディスクおよびストッカ収納手段は、ディスク装置がスリープ状態に移行するまえに、ディスクを収容したストッカがディスク抜取り位置にあれば、そのディスクを上記ストッカに収容してこのストッカを収容位置に移動させ、上記ストッカが新規ディスク挿入位置にあれば、そのストッカを収容位置に移動させるように構成したことを特徴とする請求項１または請求項２に記載のディスク装置。」
とあったものを、
　
（ｂ）「【請求項１】
　ディスクを収容すると共に、ディスクの挿入または抜取り位置と収納位置との間を移動可能なストッカと、このストッカを上記収納位置に収納するストッカ収納手段と、上記ディスクの再生モードかディスク以外の動作モードかを判定するマイコンとを備え、上記マイコンが上記ディスク以外の動作モードと判定した際は、上記ストッカが新規ディスク挿入位置に移動してから所定時間を経過したとき、当該ストッカを収納位置に移動させ、上記ディスク再生モードと判定した際は、上記ストッカを新規ディスク挿入位置へ移動後、当該位置にて新規ディスク挿入可能状態を継続させるよう構成したことを特徴とするディスク装置。
　【請求項２】
　ディスクをイジェクト操作した際は、ストッカがディスク抜取り位置に移動してから所定時間を経過したとき、抜取り可能なディスクを上記ストッカに収容し、このディスクを収容したストッカを収納位置に移動させるよう構成したことを特徴とする請求項１に記載のディスク装置。
　【請求項３】
　ディスク挿入口を開閉するシャッタと、このシャッタを開閉させるシャッタ駆動部とを設け、上記シャッタ駆動部は、ストッカが新規ディスク挿入位置にあるときは上記シャッタを開き、上記ストッカが上記新規ディスク挿入位置に移動してから所定時間を経過したときは上記シャッタを閉じるように構成したことを特徴とする請求項１または請求項２に記載のディスク装置。
　【請求項４】
　ディスク挿入口を開閉するシャッタと、このシャッタを開閉させるシャッタ駆動部とを設け、上記シャッタ駆動部は、ストッカがディスク抜取り位置にあるときは上記シャッタを開き、上記ストッカが上記ディスク抜取り位置に移動してから所定時間を経過したときは上記シャッタを閉じるように構成したことを特徴とする請求項２に記載のディスク装置。」
と補正しようとするものである。
　
　ここで、補正前後の請求項１及び２をそれぞれ比較すると、補正前の請求項１及び２にあった「ディスク挿入口を開閉するシャッタと、このシャッタを開閉させるシャッタ駆動部とを備え」ること、「シャッタ駆動部」に関して補正前の請求項１にあった「上記ストッカが上記新規ディスク挿入位置にあるときは上記シャッタを開き、上記ストッカが上記新規ディスク挿入位置に移動してから所定時間を経過したときは上記シャッタを閉じるように構成した」こと、及び補正前の請求項２にあった「上記ストッカが上記ディスク抜取り位置にあるときは上記シャッタを開き、上記ストッカが上記ディスク抜取り位置に移動してから所定時間を経過したときは上記シャッタを閉じるように構成した」ことが、補正後はそれぞれ削除されている。
　すると、本件補正は、発明特定事項を削除しようとするものであって、補正前の請求項１及び２の発明特定事項に限定を加えるものとすることができず、また、誤記の訂正、明りょうでない記載の釈明のいずれにも該当しない。したがって、本件補正は、平成１８年改正前特許法第１７条の２第４項各号に掲げる事項を目的とするものとすることができない。
　
２．本件補正についてのむすび
　以上のとおりであるから、本件補正は、平成１８年改正前特許法第１７条の２第４項に規定する要件を満たさないものであり、特許法第１５９条第１項で読み替えて準用する同法第５３条第１項の規定により却下すべきものである。
　
　
第３　本願発明
１．本願発明
　平成１７年３月２４日付の手続補正は上記のとおり却下されたので、本願の請求項１ないし４に係る発明は、平成１７年１月５日付けの手続補正書によって補正された特許請求の範囲の請求項１ないし４に記載されたとおりのものであると認められるところ、そのうち、請求項１に係る発明（以下、「本願発明」という。）は、上記「第２　１．（ａ）【請求項１】」に記載したとおりである。
　
２．引用例
　原査定の拒絶の理由に引用された特開平７−５００６０号公報（以下、「引用例」という。）には、媒体記録再生装置について、図面と共に次の事項が記載されている（なお、下線は当審で付した。）。
ア．「【請求項１】
　複数の記録媒体を識別番号で区別された複数の収納領域に夫々収納する媒体収納手段の空き収納領域を検出する手段と、
前記空き収納領域の一つを選択して収納予定領域として自動設定する手段と、
前記空き収納領域の一つを収納指定領域とする収納指令を受けたときは、前記収納予定領域に代えて前記収納指定領域を新たな収納予定領域として更新する手段とを有することを特徴とする媒体記録再生装置。
　【請求項２】
　複数の記録媒体を識別番号で区別された複数の収納領域に夫々収納する媒体収納手段の空き収納領域を検出する手段と、
前記空き収納領域の一つを選択して収納予定領域として自動設定する手段と、
前記空き収納領域の一つを収納指定領域とする収納指令を受けたときは、前記収納予定領域に代えて前記収納指定領域を新たな収納予定領域として更新する手段と、
挿入口からの記録媒体の挿入を検知したときは、前記収納予定領域に当該記録媒体を収納する収納駆動信号を送出する手段とを有することを特徴とする媒体記録再生装置。
　【請求項３】
　
所定時間内に前記挿入口からの記録媒体の挿入を検知しないときは、記録媒体を前記収納予定領域に収納する収納モードを解除する手段
　
イ．「【００１７】
【実施例】以下、図面に基づいて本発明の媒体記録再生装置である車載用ＭＤオートチェンジャー装置（以下、単にＭＤ装置と称する）の実施例について説明する。
【００１８】該ＭＤ装置は、ＭＤを挿入して、該ＭＤに記録した情報を記録及び／あるいは再生するものである。」
　
ウ．「【００２６】該機器ケース１正面の上側縁部には
ディスクを挿入する挿入口２１２が形成されており、該挿入口２１２には該ＭＤ装置内への異物の侵入を防止する開閉ドア２１７が開閉自在に取り付けられ
【００２７】該機器ケース１内に設けられた主要部としては、
挿入されたディスクを搬送及び保持する搬送手段であるキャリア３と、該挿入されたディスクを回転駆動する媒体駆動手段であるプレーヤ部４と、該挿入されたディスクを収納する媒体収納手段であるストッカ５とから構成され
【００２８】前記
キャリア３は、前記挿入口２１２の後側にて昇降可能に配置され
キャリア３の上部には、挿入されたディスクを装着（ローディング）したり、又は装着しているディスクを前記ストッカ５に収納
　
エ．「【００３６】尚、前記
挿入口２１２に開閉自在に設けられた開閉ドア２１７は、前記キャリア３が該挿入口２１２に対向する位置にある時にロック解除状態とし、前記キャリア３が収納部５０ａの開口部に対向する位置以外にある時にロック状態としている。従って、該キャリア３が待機状態である場合には、該キャリア３は前記収納部５０ｂの開口部に対向する位置にあり、前記開閉ドア２１７をロック状態にして、キャリア待機時における該ＭＤ装置内への異物侵入を防止するようにしている
　
オ．「【００４９】また、
ステップＳ３にてストックキー１０２が入力されたのであれば、前記挿入口２１２から挿入されたディスクを各収納部（５０ａ〜５０ｄ）に収納するストックモード
　
カ．「【００５２】では、次に本発明の媒体記録再生装置の主旨となるステップＳ６のストックモードについて図６乃至図９のフローチャートに基づいてより詳細に説明する。図６乃至図９は該
ストックモードにおけるＣＰＵ２３３の処理動作
　
キ．「【００６１】空き収納部があれば、
ストックモードに移行したことをユーザーに通知する“ＳＴＯＣＫ　ＭＯＤＥ”を表示
【００６２】ステップＳ１８にてディスクを元の収納部に収納してから、該
キャリア３を挿入口２１２の対向位置に移動させて開閉ドア２１７のロック状態を解除し（ステップＳ１９）
　
ク．「【００６４】図７に示すＭ１において、ストッカ５における＃１の収納部５０ａにディスクが有るか否かを判定する（ステップＳ３１）。＃１の収納部５０ａにディスクがあれば、＃２の収納部５０ｂにディスクが有るか否かを判定する（ステップＳ３２）。＃２の収納部５０ｂにディスクがあれば、＃３の収納部５０ｃにディスクが有るか否かを判定する（ステップＳ３３）。＃３の収納部５０ｃにディスクがあれば、
新たに前記挿入口２１２から挿入されるディスクを＃４の収納部５０ｄに収納するようにセットして（ステップＳ３４）、ＣＰＵ２３３内部の図示せぬタイマーをスタートさせる（ステップＳ３５）。
【００６５】また、ステップＳ３１にて＃１の収納部５０ａにディスクがなければ、新たに該挿入口２１２から挿入されるディスクを＃１の収納部５０ａに収納するようにセットして（ステップＳ３６）、ステップＳ３５に移行する。また、ステップＳ３２にて＃２の収納部５０ｂにディスクがなければ、新たに該挿入口２１２から挿入されるディスクを＃２の収納部５０ｂに収納するようにセットして（ステップＳ３７）、ステップＳ３５に移行する。また、ステップＳ３３にて＃３の収納部５０ｃに収納するようにセットして（ステップＳ３８）、ステップＳ３５に移行する。これらステップＳ３４、ステップＳ３６乃至ステップＳ３８が請求項１及び２記載の空き収納領域の一つを選択して収納予定領域として設定する手段に相当するものである。
【００６６】従って、これらステップＳ３１〜Ｓ３４及びステップＳ３６〜Ｓ３８は収納位置を自動的に指定する処理行程である。
【００６７】次にタイマースタート後にキー入力があったか否かを判定する（ステップＳ３９）。キー入力がなければ、
前記挿入口２１２からディスクが挿入されたか否かを判定する（ステップＳ４０）。
タイムアウトしたのであれば、前記表示器１１７の表示を消灯させ（ステップＳ４２）、該キャリア３を待機位置、つまり収納部５０ａと対向しない位置、例えば収納部５０ｂに対向する位置へ移動させ（ステップＳ４３）、該ストックモードを終了する。
　
ケ．「【００７３】図８に示すＭ３において、前記ステップＳ３９でαキー１０７が入力されたか否かを判定する（ステップＳ６１）。αキー１０７が入力されたのでなければ、
図７に示すステップＳ４０にて挿入されたディスクをステップＳ３４、ステップＳ３６、ステップＳ３７、ステップＳ３８又はステップＳ４６にてセットされた収納部に収納し（ステップＳ６２）
【００７４】次に該ストッカ５の各収納部（５０ａ〜５０ｄ）にまだ空き収納部があるか否かを判定する（ステップＳ６４）。空き収納部があれば、該キャリア３を挿入口２１２の対向位置へと移動させ（ステップＳ６５）、図７に示すＭ５に移行する。ステップＳ６４にて収納部（５０ａ〜５０ｄ）に空きがなければ、図９に示すＭ６に移行する。」
　
コ．「【００８２】上記実施例によれば、
ストックモード時にストッカ５の空き収納部を検出して、挿入されたディスクが収納されるべき空き収納部を設定し、Ｎｏ．キー（１０３〜１０６）にて空き収納部が指定されなければ、前記設定された空き収納部に該挿入されたディスクを収納するようにしたので、ユーザーは前記Ｎｏ．キー（１０３〜１０６）にて空き収納部を指定する指定操作を行う必要がない
【００８３】また、空き収納部の自動設定が行われた後に、
所定時間経過後にもディスクが挿入されない場合には、該解除操作を行わずともストックモードを自動的に解除する、例えば開閉ドア２１７をロック状態にする
　
サ．「【００８７】尚、上記実施例においては、該キ
ャリア３の待機位置を収納部５０ｂの開口部に対向する位置としたが、前記開閉ドア２１７がロック状態の位置であれば、どの位置であっても良い
　
シ．「【００９２】また、上記実施例においては、記録媒体をＭＤとしたためにＭＤ装置に適用して説明したが、
記録媒体をＣＤ、ビデオディスク等の光記録媒体
　
ス．図１には、キャリア３が挿入口２１２と収納部５０ａとに対向する位置にあって、挿入口２１２を開閉する開閉ドア２１７が示されている。
　
　前記「ア．」ないし「ス．」によれば、引用例には、記録再生装置に関して次の発明（以下、「引用発明」という。）が記載されていると認められる。
「ＭＤ、ＣＤ、ビデオディスク等のディスクである光記録媒体を取り扱う記録再生装置であって、
　ディスクを挿入する挿入口が形成されており、
　該挿入口には該装置内への異物の侵入を防止する開閉ドアが開閉自在に取り付けられ、
　挿入されたディスクを搬送及び保持する搬送手段であるキャリアと、
　該挿入されたディスクを回転駆動する媒体駆動手段であるプレーヤ部と、
　該挿入されたディスクを収納する媒体収納手段であるストッカとから構成され
　前記キャリアは、前記挿入口の後側にて昇降可能に配置されており、該キャリアの上部には、挿入されたディスクを装着（ローディング）したり、又は装着しているディスクを前記ストッカに収納したり、又は前記挿入口から排出したりするための搬送ローラが回転可能に設けられ
　上記挿入口から挿入されたディスクを上記ストッカに収納するストックモードにおいてＣＰＵは、
　上記キャリアを上記挿入口の対向位置に移動させて、上記開閉ドアのロック状態を解除し、
　上記挿入口から新たに挿入されるディスクを収納するようにセットして、タイマーをスタートさせ、
　タイマーがタイムアップした後も上記挿入口からディスクが収納されない場合には、上記ストックモードを解除し、上記キャリアを待機位置に移動させ、上記開閉ドアをロック状態とする、
　ＭＤ、ＣＤ、ビデオディスク等のディスクである光記録媒体を取り扱う記録再生装置。」
　
３．対比
　本願発明と引用発明を対比する。
　引用発明の「ＭＤ、ＣＤ、ビデオディスク等のディスクである光記録媒体」は、本願発明の「ディスク」に相当する。
　
　引用発明の「ディスクを挿入する挿入口」は、本願発明の「ディスク挿入口」に相当する。
　
　引用発明の「開閉ドア」は、「挿入口に」「開閉自在に取り付けられ」たものであるから、本願発明の「ディスク挿入口を開閉するシャッタ」と共通する。
　
　引用発明の「キャリア」は、「挿入されたディスクを搬送及び保持する搬送手段」であって、「挿入口の後側に昇降可能に配置され」、「挿入されたディスクを装着（ローディング）したり、又は装着しているディスクを前記ストッカに収納したり、又は前記挿入口から排出したりする」ことからすると、「ディスクを収容すると共に、ディスクの挿入または抜取り位置と収納（する）位置の間を移動できるように構成された」ディスク保持搬送手段である点において、本願発明の「ストッカ」と共通している。
　
　引用発明の「ストッカ」は、本願発明のストッカが収納位置にある場合と比較すると、ディスクの収納部に位置している点で共通する。
　
　引用発明のストックモードにおけるＣＰＵ動作に関し、
「上記キャリアを上記挿入口の対向位置に移動させて」
「上記挿入口から新たに挿入されるディスクを収納するようにセットして、タイマーをスタートさせ、
　タイマーがタイムアップした後も上記挿入口からディスクが収納されない場合には、上記ストックモードを解除し、
　上記キャリアを待機位置に移動させ、」
との動作は、挿入口に新たなディスクが所定時間挿入されない場合の動作を特定した点において、本願発明の「ストッカ（ディスク保持搬送手段）が新規ディスク挿入位置に移動してから所定時間を経過したとき、このストッカ（ディスク保持搬送手段）を移動させる」「手段」に相当する。
　
　引用発明において、開閉ドアは、「開閉自在に取り付けられ」ているのであるから、前記開閉ドアがロック状態とされた場合は、実質上開閉ドアは、閉じた状態と同様に機能し、また、前記開閉ドアのロック状態が解除されることは、実質上、開閉ドアはディスクを挿入可能であるという点においてドアが開いた状態と同様に機能するといえる。すると、引用発明のストックモードにおけるＣＰＵ動作に関し、
「上記キャリアを上記挿入口の対向位置に移動させて、上記開閉ドアのロック状態を解除し、
　上記挿入口から新たに挿入されるディスクを収納するようにセットして、タイマーをスタートさせ、
　タイマーがタイムアップした後も上記挿入口からディスクが収納されない場合には、上記ストックモードを解除し、上記キャリアを待機位置に移動させ、上記開閉ドアをロック状態とする」
との一連の動作は、本願発明の
「シャッタを開閉させるシャッタ駆動部とを備え、　
　上記シャッタ駆動部は、上記ストッカが上記新規ディスク挿入位置にあるときは上記シャッタを開き、上記ストッカが上記新規ディスク挿入位置に移動してから所定時間を経過したときは上記シャッタを閉じる」との動作と比較して、
「シャッタを開閉（可・不可に制御する）シャッタ駆動部（制御部）を備え、　
　上記シャッタ駆動部（制御部）は、上記ストッカ（ディスク保持搬送手段）が上記新規ディスク挿入位置にあるときは上記シャッタを開き（可となるようにロックを解除し）、上記ストッカが上記新規ディスク挿入位置に移動してから所定時間を経過したときは上記シャッタを閉じる（ようにロックする）」点において共通している。
　
　以上のことから、本願発明と引用発明の一致点及び相違点は次のとおりである。
＜一致点＞
「ディスクを収容すると共に、ディスクの挿入または抜取り位置と収納（する）位置との間を移動できるように構成された（ディスク保持搬送手段）と、この（ディスク保持搬送手段）が新規ディスク挿入位置に移動してから所定時間を経過したとき、この（ディスク保持搬送手段）を移動させる手段と、ディスク挿入口を開閉するシャッタと、このシャッタを開閉（可・不可に制御する）シャッタ駆動部（制御部）を備え、　
　上記シャッタ駆動部（制御部）は、上記ストッカ（ディスク保持搬送手段）が上記新規ディスク挿入位置にあるときは上記シャッタを開き（可となるようにロックを解除し）、上記ストッカが上記新規ディスク挿入位置に移動してから所定時間を経過したときは上記シャッタを閉じる（ようにロックする）ように構成したディスク装置。」の点。
　
＜相違点＞
（１）ディスクの挿入または抜取り位置と収納する位置との間を移動できるように構成されたディスク保持搬送手段に関し、本願発明は「ディスクの挿入または抜取り位置と収納位置との間を移動できるように構成されたストッカ」と限定し、新規ディスク挿入位置から所定経過時間を経過したとき「ストッカ収容位置に移動させるディスク及びストッカ収納手段」を備えるのに対して、引用発明のディスク搬送手段である「キャリア」は、「挿入されたディスクを搬送及び保持する搬送手段」であって、「前記挿入口の後側にて昇降可能に配置されており」、「挿入されたディスクを装着（ローディング）したり、又は装着しているディスクを前記ストッカに収納したり、又は前記挿入口から排出したりする」ものである点。
（２）本願発明は「シャッタを開閉させるシャッタ駆動部」を備え、「シャッタ駆動部は、ストッカが新規ディスク挿入位置にあるときはシャッタを開き」、新規ディスク挿入位置に移動してから所定時間を経過したときは「シャッタを閉じる」ように構成したことを限定しているのに対して、引用発明では、開閉ドアは、開閉自在に取り付けられているもので、ＣＰＵで構成されるシャッタ制御部は、ストックモードで、キャリアが挿入口の対向位置に移動されたとき、上記開閉ドアのロック状態を解除し、タイマーがタイムアップした後は、キャリアを待機位置に移動させ、上記開閉ドアをロック状態とするものである点。
　
４．当審の判断
　前記相違点について検討する。
　
相違点（１）について
　ディスク装置において、ディスクの挿入または抜取り位置と収納位置との間を移動できるように構成された、ストッカは周知（特開平４−３８６５７号公報に記載された「キャリッジＳ，１〜６」、特開平５−２８２７６６号公報に記載された「トレイ４２〜４６」、特開平７−２７２３８３号公報に記載された「キャリッジ２」等参照。）である。
　したがって、引用発明において、「挿入口の後側に昇降可能に配置され、挿入されたディスクを保持搬送してストッカに収納するキャリア」に代えて、ディスクの挿入または抜取り位置と収納位置との間を移動できる前記周知のストッカを採用し、ディスクの挿入または抜取り位置と収納位置との間を移動できるように構成することは、当業者が容易に想到しうるものである。
　そして、このように周知のストッカを採用した場合には、新規ディスク挿入位置に移動してから所定時間を経過したときの動作についても、キャリアに代えて当該ストッカを移動させることとなるから、ストッカを収容位置まで移動させるディスク及びストッカ収納手段とすることは当然のことにすぎない。
　
相違点（２）について
　引用発明は、直接開閉ドアを開閉するものではないものの、開閉ドアをロックし、また、ロック状態を解除することで、挿入口からディスクを挿入可、不可を切り換えるものであるから、前記開閉ドアのロック及びロック状態の解除は、実質上、ドアの開閉に相当する機能を達成していることが明らかである。
　また、ディスク装置において、ディスクの抜き取りが可能な位置にあるときシャッタを開き、ディスクの抜き取りが不可能な位置にあるときはシャッタを閉じるように構成されているシャッタは、周知（特開昭５７−１８１４７４号公報の「ドア５」、特開平６−１７６４６９号公報の「防塵ドア２Ａ」、特開平７−１４２８７号公報の「シャッター３３」等参照。）である。
　すると、引用発明のディスク記録再生装置において、新たに挿入口から挿入されるディスクを収納する場合は開閉ドアのロックを解除し、所定時間後も挿入口からディスクが収納されない場合には、ストックモードを解除して開閉ドアをロック状態にする手段に代えて、開閉ドアを開閉する開閉ドア駆動部を設け、新たに挿入口から挿入されるディスクを収納する場合のみ開閉ドアを開き、所定時間後も挿入口からディスクが収納されない場合には、開閉ドアを閉じるように構成することは、当業者が周知技術を参酌して容易に想到しうるものである。
　
　そして、上記各相違点を総合的に判断しても、本願発明が奏する効果は、引用例に記載された発明及び周知技術から当業者が十分に予測できたものであって、格別のものとはいえない。
　
５．むすび
　以上のとおり、本願の請求項１に係る発明は、引用例に記載された発明及び周知技術に基づいて、当業者が容易に発明をすることができたものであるから、特許法第２９条第２項の規定により特許を受けることができない。
　したがって、他の請求項について検討するまでもなく、本願は、拒絶すべきものである。
　よって、結論のとおり審決する。